(57)【特許請求の範囲】
【請求項１】
複数のチャンネルによって構成される信号を送信する送信装置と、前記送信装置により送信された信号を受信する受信装置とを備える伝送システムであって、
前記送信装置は、
前記受信装置との間の信号伝送の試験を行うためのチェック信号として、第１の期間においては、予め定められた各チャンネルに固有の周波数の信号をチャンネルごとに生成し、第２の期間においては、前記複数のチャンネルに共通の信号を生成し、第３の期間においては、無信号とする信号生成部と、
前記信号生成部により生成されたチェック信号を前記受信装置に送信する送信器と、
を備え、
前記受信装置は、
前記送信装置により送信されたチェック信号を受信する受信器と、
前記受信器により受信されたチェック信号に基づき、前記第１の期間においては、チャンネルごとに、該チャンネルに固有の周波数の信号が受信されたか否か、および、該チャンネルの信号のレベルが所定の範囲内であるか否かを判定し、前記第２の期間においては、前記複数のチャンネルの中から基準としたチャンネルと他のチャンネルそれぞれとの位相差が所定の範囲内であるか否かを判定し、前記第３の期間においては、前記複数のチャンネルそれぞれの雑音レベルが所定の閾値以下であるか否かを判定する判定部と、
を備えることを特徴とする伝送システム。
【請求項２】
請求項１記載の伝送システムにおいて、
前記第１の期間においては、チャンネルごとに異なるタイミングで順次、前記各チャンネルに固有の周波数の正弦波が送信されることを特徴とする伝送システム。
【請求項３】
請求項２記載の伝送システムにおいて、
前記異なるタイミングで順次送信される正弦波の周波数は、送信される順に、増加または減少することを特徴とする伝送システム。
【請求項４】
請求項１記載の伝送システムにおいて、
前記第１の期間においては、前記複数のチャンネルそれぞれに、前記各チャンネルに固有の周波数の信号が同時に送信されることを特徴とする伝送システム。
【請求項５】
請求項１から４のいずれか一項に記載の伝送システムにおいて、
前記第２の期間においては、複数の周波数成分から構成され、各々の周波数は整数比とならない信号が送信されることを特徴とする伝送システム。
【請求項６】
複数のチャンネルによって構成される信号を受信装置に送信する送信装置であって、
前記受信装置との間の信号伝送の試験を行うためのチェック信号として、第１の期間では、予め定められた各チャンネルに固有の周波数の信号をチャンネルごとに生成し、第２の期間では、前記複数のチャンネルに共通の信号を生成し、第３の期間では、無信号とする信号生成部と、
前記信号生成部により生成されたチェック信号を前記受信装置に送信する送信器と、
を備えることを特徴とする送信装置。
【請求項７】
複数のチャンネルによって構成される信号を送信する送信装置から信号を受信する受信装置であって、
前記受信装置との間の信号伝送の試験を行うためのチェック信号として、第１の期間では、予め定められた各チャンネルに固有の周波数の信号を送信し、第２の期間では、前記複数のチャンネルに共通の信号を送信し、第３の期間では、無信号とする送信装置から前記チェック信号を受信する受信器と、
前記受信器により受信されたチェック信号に基づき、前記第１の期間においては、チャンネルごとに、該チャンネルに固有の周波数の信号が受信されたか否か、および、該チャンネルの信号のレベルが所定の範囲内であるか否かを判定し、前記第２の期間においては、前記複数のチャンネルの中から基準としたチャンネルと他のチャンネルそれぞれとの位相差が所定の範囲内であるか否かを判定し、前記第３の期間においては、前記複数のチャンネルそれぞれの雑音レベルが所定の閾値以下であるか否かを判定する判定部と、
を備えることを特徴とする受信装置。
【発明の詳細な説明】
【技術分野】
【０００１】
本発明は、伝送システム、送信装置および受信装置に関する。
【背景技術】
【０００２】
中継制作などにおいて、例えば、収録現場や中継車に設けられた送信側の装置（送信装置）から、放送局や再生会場に設けられた受信側の装置（受信装置）にマルチチャンネル音響信号を伝送する場合、事前に手動により信号伝送の試験（チャンネルチェック）が行われる。チャンネルチェックの項目としては、（１）送信側と受信側とでチャンネルが合っているか否か（ｃｈチェック）、（２）信号のレベルが規定通りであるか否か（レベルチェック）、（３）チャンネル間の位相が揃っているか否か（位相チェック）、（４）ＳＮ比が確保されているか否か（Ｓ／Ｎチェック）の４つの項目がある。
【０００３】
従来、ｃｈチェックおよびレベルチェックは、送信側の担当者が複数のチャンネルのうちの１つのチャンネルに基準信号を送信し、受信側の担当者がそのチャンネルの信号のレベルメータを確認したり、聴感により確認したりすることで行われていた。そして、受信側において、チェックの結果が良好である（ＯＫである）と判定されると、送信側にその旨を連絡し、送信側が別のチャンネルに基準信号を送信するということが、繰り返されていた。
【０００４】
また、位相チェックは、送信側から、基準としたチャンネルとチェック対象のチャンネルとに信号を送信し、受信側の担当者が、位相計やリサージュ波形を用いてチャンネル間の位相差を観測したり、聴感により確認したりすることで行われていた。
【０００５】
また、Ｓ／Ｎチェックは、送信側で信号の送信を停止し、受信側でノイズフロアを測定したり、聴感により確認したりすることで行われていた。
【０００６】
なお、特許文献１から特許文献３には、送信側から受信側への信号伝送の試験のための種々の方法が開示されている。
【先行技術文献】
【特許文献】
【０００７】
【特許文献１】特許第３４６８１９６号
【特許文献２】特許第２６０４２６１号
【特許文献３】特開平４−３１６２２３号公報
【発明の概要】
【発明が解決しようとする課題】
【０００８】
上述した従来のチャンネルチェック方式では、送信側の担当者と受信側の担当者とが同時に対応する（各チェック項目に応じた操作を行う）必要がある。
【０００９】
ところで、近年、２２．２マルチチャンネル（２２．２ｃｈ）音響を始めとして、従来の２チャンネル、５．１チャンネルを上回る多数のチャンネルにより構成される音響コンテンツの制作が行われている。多数のチャンネルに対するチャンネルチェックを行う場合、従来のチャンネルチェック方式では、送信側の担当者と受信側の担当者とが同時に対応する必要があるため、チャンネルチェックによる作業負担の増大が問題となる。この問題は特に、ライブ伝送など時間に追われる制作現場では、大きな問題となる。
【００１０】
特許文献１から特許文献３においては、送信側および受信側における作業負担の増大を抑制しつつ、上述した４つの項目全てについてチェックを行うための方法については開示されていない。
【００１１】
本発明の目的は、上述した課題を解決し、信号伝送の試験に関する作業負担の増大の抑制を図ることができる伝送システム、送信装置および受信装置を提供することにある。
【課題を解決するための手段】
【００１２】
上記課題を解決するため、本発明に係る伝送システムは、複数のチャンネルによって構成される信号を送信する送信装置と、前記送信装置により送信された信号を受信する受信装置とを備える伝送システムであって、前記送信装置は、前記受信装置との間の信号伝送の試験を行うためのチェック信号として、第１の期間では、予め定められた各チャンネルに固有の周波数の信号をチャンネルごとに生成し、第２の期間では、前記複数のチャンネルに共通の信号を生成し、第３の期間では、無信号とする信号生成部と、前記信号生成部により生成されたチェック信号を前記受信装置に送信する送信器と、を備え、前記受信装置は、前記送信装置により送信されたチェック信号を受信する受信器と、前記受信器により受信されたチェック信号に基づき、前記第１の期間においては、チャンネルごとに、該チャンネルに固有の周波数の信号が受信されたか否か、および、該チャンネルの信号のレベルが所定の範囲内であるか否かを判定し、前記第２の期間においては、前記複数のチャンネルの中から基準としたチャンネルと他のチャンネルそれぞれとの位相差が所定の範囲内であるか否かを判定し、前記第３の期間においては、前記複数のチャンネルそれぞれの雑音レベルが所定の閾値以下であるか否かを判定する判定部と、を備える。
【００１３】
また、本発明に係る伝送システムにおいて、前記第１の期間においては、チャンネルごとに異なるタイミングで順次、前記各チャンネルに固有の周波数の正弦波が送信されることが好ましい。
【００１４】
また、本発明に係る伝送システムにおいて、前記異なるタイミングで順次送信される正弦波の周波数は、送信される順に増加または減少することが好ましい。
【００１５】
また、本発明に係る伝送システムにおいて、前記第１の期間においては、前記複数のチャンネルそれぞれに、前記各チャンネルに固有の周波数の信号が同時に送信されることが好ましい。
【００１６】
また、本発明に係る伝送システムにおいて、前記第２の期間においては、複数の周波数成分から構成され、各々の周波数は整数比とならない信号が送信されることが好ましい。
【００１７】
また、上記課題を解決するため、本発明に係る送信装置は、複数のチャンネルによって構成される信号を受信装置に送信する送信装置であって、前記受信装置との間の信号伝送の試験を行うためのチェック信号として、第１の期間では、予め定められた各チャンネルに固有の周波数の信号をチャンネルごとに生成し、第２の期間では、前記複数のチャンネルに共通の信号を生成し、第３の期間では、無信号とする信号生成部と、前記信号生成部により生成されたチェック信号を前記受信装置に送信する送信器と、を備える。
【００１８】
また、上記課題を解決するため、本発明に係る受信装置は、複数のチャンネルによって構成される信号を送信する送信装置から信号を受信する受信装置であって、前記受信装置との間の信号伝送の試験を行うためのチェック信号として、第１の期間では、予め定められた各チャンネルに固有の周波数の信号を送信し、第２の期間では、前記複数のチャンネルに共通の信号を送信し、第３の期間では、無信号とする送信装置から前記チェック信号を受信する受信器と、前記受信器により受信されたチェック信号に基づき、前記第１の期間においては、チャンネルごとに、該チャンネルに固有の周波数の信号が受信されたか否か、および、該チャンネルの信号のレベルが所定の範囲内であるか否かを判定し、前記第２の期間においては、前記複数のチャンネルの中から基準としたチャンネルと他のチャンネルそれぞれとの位相差が所定の範囲内であるか否かを判定し、前記第３の期間においては、前記複数のチャンネルそれぞれの雑音レベルが所定の閾値以下であるか否かを判定する判定部と、を備える。
【発明の効果】
【００１９】
本発明に係る伝送システム、送信装置および受信装置によれば、信号伝送の試験に関する作業負担の増大の抑制を図ることができる。
【図面の簡単な説明】
【００２０】
【図１】本発明の一実施形態に係る伝送システムの構成を示す図である。
【図２】図１に示す送信装置が送信するチェック信号の構成例を示す図である。
【図３】図１に示す送信装置が送信するチェック信号の他の構成例を示す図である。
【図４】図１に示す送信装置の要部構成の一例を示す図である。
【図５】図１に示す送信装置の要部構成の他の一例を示す図である。
【図６】図１に示す受信装置の要部構成の一例を示す図である。
【図７】図１に示す受信装置の要部構成の他の一例を示す図である。
【図８】チャンネルチェックによる判定結果の表示例を示す図である。
【図９】図１に示す受信装置の動作を示すフローチャートである。
【発明を実施するための形態】
【００２１】
以下、本発明の実施の形態について説明する。
【００２２】
図１は、本発明の一実施形態に係る伝送システム１の構成を示す図である。
【００２３】
図１に示す伝送システム１は、送信装置１０と、受信装置２０とを備える。
【００２４】
送信装置１０は、例えば、収録現場や中継車などの送信側に設けられる装置であり、複数のチャンネルによって構成される信号、例えば、２２．２ｃｈフォーマットに対応した信号のチャンネルチェックを行うためのチェック信号を送信する。
【００２５】
受信装置２０は、例えば、放送局や再生会場などの受信側に設けられる装置であり、送信装置１０から送信されてきたチェック信号に基づき、チャンネルチェックを行う。
【００２６】
なお、送信装置１０は、単体の装置として設けられてもよいし、音声卓やデジタルオーディオワークステーション（ＤＡＷ）などのオーディオ機器や、デジタル信号が重畳されたＨＤ−ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）信号を生成するシグナルジェネレータなど、オーディオ信号を出力可能な機器に組み込まれてもよい。また、送信装置１０は、オーディオ信号出力を備えるＰＣ（Ｐｅｒｓｏｎａｌ  Ｃｏｍｐｕｔｅｒ）、もしくは、オーディオＩ／Ｆ（Ｉｎｔｅｒｆａｃｅ）を接続したＰＣ上のソフトウェアとして構成することも可能である。
【００２７】
また、受信装置２０は、単体の装置として設けられてもよいし、音声卓やＤＡＷなどのオーディオ機器や、デジタル信号が重畳されたＨＤ−ＳＤＩ信号から音声信号を分離するデマルチプレクサなど、オーディオ信号を受信可能な機器に組み込まれてもよい。また、受信装置２０は、オーディオ信号入力を備えるＰＣ、もしくは、オーディオＩ／Ｆを接続したＰＣ上のソフトウェアとして構成することも可能である。
【００２８】
次に、チェック信号の構成について説明する。
【００２９】
図２は、チェック信号の仕様を示す図である。なお、本実施形態においては、２２．２ｃｈフォーマットに対応した信号のチャンネルチェックを行うためのチェック信号を想定している。
【００３０】
図２に示すように、チェック信号は、２４チャンネルからなる。そして、シーケンス番号（ＳＥＱ  Ｎｏ．）の順番で、各チャンネルに、Ｌｅｎｇｔｈ秒ずつ信号が、順次送信される。例えば、最初の１秒（ＳＥＱ  Ｎｏ.１）では、１ｃｈ（ＦＬ）のみに，２２０Ｈｚの正弦波が規定レベル（Ｌｅｖｅｌ）−１８ｄＢＦＳで送信される。そして、次の１秒（ＳＥＱ  Ｎｏ.２）では、２ｃｈ（ＦＲ）のみに，２３３Ｈｚの正弦波が規定レベル（−１８ｄＢＦＳ）で送信される。以下、同様にして、ＳＥＱ  Ｎｏ.２４では、２４ｃｈ（ＢｔＦＲ）のみに、８３１Ｈｚの正弦波が規定レベル（−１８ｄＢＦＳ）で送信される。
【００３１】
２２．２ｃｈフォーマットでは、４ｃｈ（ＬＦＥ１）および１０ｃｈ（ＬＦＥ２）は、低域効果（ＬＦＥ：Ｌｏｗ  Ｆｒｅｑｕｅｎｃｙ  Ｅｆｆｅｃｔｓ）用のチャンネルであるため、伝送帯域や再生帯域の上限が１２０Ｈｚに制限されることがある。そのため、この帯域でもチェック信号が通過できるように、ＳＥＱ  Ｎｏ.２５では、４ｃｈのみに６５Ｈｚの正弦波が送信され、ＳＥＱ  Ｎｏ.２６では、１０ｃｈのみに９３Ｈｚの正弦波が送信される。
【００３２】
このように、ＳＥＱ  Ｎｏ．１〜ＳＥＱ  Ｎｏ．２６（第１の期間）では、チャンネルごとにそれぞれ異なるタイミングで、予め定められた各チャンネルに固有の周波数の信号（正弦波）が送信される。
【００３３】
ＳＥＱ  Ｎｏ.２７（第２の期間）では、全チャンネルに共通のピンクノイズ（Ｐｉｎｋ）が４秒間送信される。
【００３４】
ＳＥＱ  Ｎｏ２８（第３の期間）では、全チャンネルを４秒間、無音（Ｓｉｌｅｎｃｅ）とする（信号送信を停止する）。
【００３５】
送信装置１０は、図２に示す仕様のチェック信号を送信し、受信装置２０は、その信号を受信して、チャンネルチェックを行う。
【００３６】
ＳＥＱ  Ｎｏ．１〜ＳＥＱ  Ｎｏ．２６（第１の期間）で送信される信号は、ｃｈチェックおよびレベルチェックに用いられる。通常、音声信号のレベルは、４００Ｈｚまたは１ｋＨｚの正弦波信号で規定される。そのため、この期間で送信される信号は、この周波数帯を大きく逸脱しない周波数であることが望ましい。また、チャンネル番号を識別するために、各チャンネルの周波数は異なる必要がある。
【００３７】
また、ＳＥＱ  Ｎｏ．１〜ＳＥＱ  Ｎｏ．２４では、シーケンス番号が増えるほど、送信する正弦波の周波数を上げる。このように、順次送信される正弦波の周波数が、送信される順に増加（または減少）することで、受信側でｃｈチェックを聴感により行うことができる。各チャンネル間での周波数の増減は、半音階（２の１２乗根比）を使用し、聴感上、等間隔で変化するようにすることで、聴感によるｃｈチェックが容易になる。図２に示す例では、ＳＥＱ  Ｎｏ．１〜ＳＥＱ  Ｎｏ．２４では、半音ずつ周波数が上がっていくように受信側で聞こえれば、ｃｈチェックの結果は正常であると判定される。
【００３８】
上述したように、２２．２ｃｈフォーマットでは、４ｃｈおよび１０ｃｈは、帯域の上限が１２０Ｈｚに制限されることがある。そのため、ＳＥＱ  Ｎｏ.２５では、４ｃｈのみに６５Ｈｚの正弦波を送信し、ＳＥＱ  Ｎｏ.２６では、１０ｃｈのみに９３Ｈｚの正弦波を送信する。こうすることで、ＬＦＥ用のスピーカを駆動することもできる。また、ＳＥＱ  Ｎｏ.２５で送信する正弦波の周波数（６５Ｈｚ）よりも、ＳＥＱ  Ｎｏ.２６で送信する正弦波の周波数（９３Ｈｚ）を上げることで、聴感によるｃｈチェックが可能となる。
【００３９】
なお、聴感によるｃｈチェックが不要な場合には、図３に示すように、各チャンネルに同時に、各チャンネルに固有の周波数の正弦波を送信してもよい。こうすることで、ｃｈチェックとレベルチェックとを同時に行うことができ、チェックに要する時間を短縮することができる。
【００４０】
ＳＥＱ  Ｎｏ．２７（第２の期間）で送信される信号は、位相チェックに用いられる。そのため、位相のずれが３６０°の倍数となった場合に誤判定とならないように、ＳＥＱ  Ｎｏ．２７で送信される信号は、複数の周波数成分から構成され、各々の周波数は単純な整数比とならないことが望ましい。このような信号として、本実施形態においては、ピンクノイズを用いている。
【００４１】
ＳＥＱ  Ｎｏ．２８では、受信装置２０においてＳ／Ｎチェックが行われる。そのため、ＳＥＱ  Ｎｏ．２８では、送信装置１０は、無音（無信号）とする。
【００４２】
送信装置１０は、チェック信号を繰り返して送信する。こうすることで、受信装置２０は、任意のタイミングでチャンネルチェックを行うことができる。
【００４３】
次に、送信装置１０および受信装置２０の構成について説明する。まず、送信装置１０の構成について説明する。なお、上述したように、送信装置１０は他の機器に組み込まれて構成されてもよい。そのため、送信装置１０がチェック信号を生成して送信する機能以外の機能を備えることもあるが、他の機能に関する構成については、本発明とは直接関係しないため、説明を省略する。
【００４４】
送信装置１０の構成としては、アナログ信号処理を主に用いる構成と、デジタル信号処理を主に用いる構成とが考えられる。以下では、各構成について説明する。
【００４５】
図４は、アナログ信号処理を主に用いる送信装置１０の要部構成を示す図である。
【００４６】
図４に示す送信装置１０は、外部制御正弦波発振器１０１と、ピンクノイズ発生器１０２と、切替器１０３と、送信器１０４と、ユーザーＩ／Ｆ１０６と、制御部１０７とを備える。外部制御正弦波発振器１０１、ピンクノイズ発生器１０２、切替器１０３および制御部１０７は、チェック信号を生成する信号生成部１０８を構成する。
【００４７】
外部制御正弦波発振器１０１は、正弦波を出力する発振器である。ここで、外部制御正弦波発振器１０１は、外部からの制御に応じて、発振周波数と出力信号レベルとを変更することができる。外部制御正弦波発振器１０１としては、例えば、電圧制御発振器（ＶＣＯ：Ｖｏｌｔａｇｅ  Ｃｏｎｔｒｏｌｌｅｄ  Ｏｓｃｉｌｌａｔｏｒ）を用いることができる。
【００４８】
ピンクノイズ発生器１０２は、ピンクノイズを発生させる。
【００４９】
切替器１０３は、接点１０３ａ，１０３ｂ，１０３ｃを備える。接点１０３ａは、外部制御正弦波発振器１０１に接続される。接点１０３ｂは、ピンクノイズ発生器１０２に接続される。接点１０３ｃは、信号出力源と未接続である。切替器１０３は、制御部１０７の制御に従い、切替器１０３の出力を接点１０３ａ，１０３ｂ，１０３ｃのいずれかに接続する。
【００５０】
切替器１０３の出力が接点１０３ａに接続された場合には、外部制御正弦波発振器１０１から出力された正弦波が、切替器１０３を介して、送信器１０４に出力される。切替器１０３の出力が接点１０３ｂに接続された場合には、ピンクノイズ発生器１０２から出力されたピンクノイズが、切替器１０３を介して、送信器１０４に出力される。切替器１０３の出力が接点１０３ｃに接続された場合には、接点１０３ｃは信号出力源と未接続であるため、切替器１０３の出力は無信号となる。
【００５１】
送信器１０４は、切替器１０３から出力された信号を、アナログ回線およびデジタル回線を介して、受信装置２０に送信する。具体的には、送信器１０４は、切替器１０３から出力された信号をそのまま、アナログ回線を介して、受信装置２０に送信する。また、送信器１０４は、デジタル回線を介して、受信装置２０に信号を送信するデジタル出力部１０５を有する。
【００５２】
デジタル出力部１０５は、切替器１０３から出力された信号を、デジタル回線のデジタルオーディオＩ／Ｆ（例えば、ＡＥＳ（Ａｕｄｉｏ  Ｅｎｇｉｎｅｅｒｉｎｇ  Ｓｏｃｉｅｔｙ）３やＭＡＤＩ（Ｍｕｌｔｉｃｈａｎｎｅｌ  Ａｕｄｉｏ  Ｄｉｇｉｔａｌ  Ｉｎｔｅｒｆａｃｅ）など）に適合するデジタル信号に変換（ＡＤ変換）して、受信装置２０に送信する。
【００５３】
ここで、第１の期間においては、送信器１０４は、外部制御正弦波発振器１０１から出力されたチャンネルに固有の周波数を有する正弦波を、そのチャンネルで送信する。従って、送信器１０４は、周波数が２２０Ｈｚの正弦波を、送信装置１０の回線の１ｃｈで送信し、周波数が２３３Ｈｚの正弦波を、送信装置１０の回線の２ｃｈで送信し、以下、同様にして、各チャンネルに固有の周波数を有する正弦波を、各チャンネルで送信する。
【００５４】
また、第２の期間においては、送信器１０４は、ピンクノイズ発生器１０２から出力されたピンクノイズを、送信装置１０の回線の全チャンネルで送信する。
【００５５】
ユーザーＩ／Ｆ１０６は、チェック信号の生成開始／停止の指示を受け付け、入力された指示に応じた信号を制御部１０７に出力する。チェック信号の生成開始／停止の指示を受け付けるための構成としては、スイッチなど種々のものがある。
【００５６】
制御部１０７は、チェック信号の生成開始の指示がユーザーＩ／Ｆ１０６に入力されると、チェック信号の第１から第３の期間ごとに、各部を制御する。制御部１０７は、チェック信号の仕様を予め記憶しており、記憶する仕様に基づき、各部の動作を制御する。
【００５７】
具体的には、制御部１０７は、第１の期間（ＳＥＱ  Ｎｏ．１〜ＳＥＱ  Ｎｏ．２６）においては、切替器１０３の出力と接点１０３ａとを接続する。また、制御部１０７は、各ＳＥＱ  Ｎｏ．で規定された周波数とレベルの正弦波を外部制御正弦波発振器１０１に出力させる。したがって、制御部１０７は、外部制御正弦波発振器１０１に、ＳＥＱ  Ｎｏ．１で規定されたレベル−１８ｄＢＦＳ、周波数２２０Ｈｚの正弦波をまず出力させ、Ｌｅｎｇｔｈで規定される１秒後には、ＳＥＱ  Ｎｏ．２で規定された周波数２３３Ｈｚの正弦波を出力させる。制御部１０７は、ＳＥＱ  Ｎｏ．２６までこの動作を繰り返す。
【００５８】
こうすることで、第１の期間では、外部制御正弦波発振器１０１から、各ＳＥＱ  Ｎｏ．で規定された周波数の正弦波がシーケンス番号の順に出力され、切替器１０３を介して、送信器１０４により受信装置２０に送信される。
【００５９】
第２の期間（ＳＥＱ  Ｎｏ．２７）では、制御部１０７は、切替器１０３の出力と接点１０３ｂとを接続する。また、制御部１０７は、ピンクノイズ発生器１０２に、Ｌｅｎｇｔｈで規定される４秒間、ピンクノイズを発生させる。こうすることで、ピンクノイズ発生器１０２から出力されたピンクノイズが、切替器１０３を介して、送信器１０４により受信装置２０に送信される。
【００６０】
第３の期間（ＳＥＱ  Ｎｏ．２８）では、制御部１０７は、Ｌｅｎｇｔｈで規定される４秒間、切替器１０３の出力と接点１０３ｃとを接続する。接点１０３ｃは信号の出力源と未接続であるため、ＳＥＱ  Ｎｏ．２８では４秒間、無信号となる。
【００６１】
なお、ユーザーＩ／Ｆ１０６は、シーケンス番号（ＳＥＱ  Ｎｏ．）、送信信号の状態（レベル、信号種別、正弦波の周波数など）、制御部１０７が記憶するチェック信号の仕様などを表示する機能、また、制御部１０７が記憶するチェック信号の仕様変更を受け付ける機能などを備えていてもよい。
【００６２】
次に、デジタル信号処理を主に用いる送信装置１０の要部構成を、図５を参照して説明する。
【００６３】
図５に示す送信装置１０は、ユーザーＩ／Ｆ１１１と、チェック信号仕様記憶部１１２と、制御部１１３と、送信器１１４とを備える。チェック信号仕様記憶部１１２および制御部１１３は、チェック信号を生成する信号生成部１１７を構成する。
【００６４】
ユーザーＩ／Ｆ１１１は、チェック信号の生成開始／停止の指示を受け付け、入力された指示に応じた信号を制御部１１３に出力する。
【００６５】
チェック信号仕様記憶部１１２は、チェック信号の仕様を記憶する。チェック信号仕様記憶部１１２は、ＨＤＤ（Ｈａｒｄ  Ｄｉｓｋ  Ｄｒｉｖｅ）、フラッシュメモリなどで構成される。
【００６６】
制御部１１３は、チェック信号の生成開始の指示がユーザーＩ／Ｆ１１１に入力されると、チェック信号仕様記憶部１１２が記憶するチェック信号の仕様を参照し、各ＳＥＱ  Ｎｏ.で規定される信号（正弦波、ピンクノイズ、無信号）に対応するデジタルオーディオデータを順次、送信器１１４に出力する。
【００６７】
送信器１１４は、制御部１１３から出力された信号を、アナログ回線およびデジタル回線を介して、受信装置２０に送信する。具体的には、送信器１１４は、アナログ回線を介して、受信装置２０に信号を送信するアナログ出力部１１５と、デジタル回線を介して、受信装置２０に信号を送信するデジタル出力部１１６とを備える。
【００６８】
アナログ出力部１１５は、制御部１１３から出力されたデジタルオーディオデータをアナログ信号に変換（ＤＡ変換）して、受信装置２０に送信する。
【００６９】
デジタル出力部１１６は、制御部１１３から出力されたデジタルオーディオデータを、デジタル回線のデジタルオーディオＩ／Ｆ（例えば、ＡＥＳ３やＭＡＤＩなど）に適合するデジタル信号に変換して、受信装置２０に送信する。
【００７０】
ここで、第１の期間においては、送信器１１４は、制御部１１３から出力されたチャンネルに固有の周波数を有する正弦波を、そのチャンネルで送信する。従って、送信器１１４は、周波数が２２０Ｈｚの正弦波を、送信装置１０の回線の１ｃｈで送信し、周波数が２３３Ｈｚの正弦波を、送信装置１０の回線の２ｃｈで送信し、以下、同様にして、各チャンネルに固有の周波数を有する正弦波を、各チャンネルで送信する。
【００７１】
また、第２の期間においては、送信器１１４は、制御部１１３から出力されたピンクノイズを、送信装置１０の回線の全チャンネルで送信する。
【００７２】
なお、ユーザーＩ／Ｆ１１１は、シーケンス番号（ＳＥＱ  Ｎｏ．）、送信信号の状態（レベル、信号種別、正弦波の周波数など）、チェック信号仕様記憶部１１２が記憶するチェック信号の仕様などを表示する機能、また、チェック信号仕様記憶部１１２が記憶するチェック信号の仕様変更を受け付ける機能などを備えていてもよい。
【００７３】
また、送信装置１０は、アナログ回線を介してチェック信号を送信するための構成（アナログ出力）、および、デジタル回線を介してチェック信号を送信するための構成（デジタル出力）の両方を備える必要はない。送信装置１０は、チェックしたい回線の種別に応じて、アナログ出力およびデジタル出力のいずれか一方だけを備えていてもよい。
【００７４】
次に、受信装置２０の構成について説明する。なお、上述したように、受信装置２０は他の機器に組み込まれて構成されてもよい。そのため、受信装置２０がチェック信号を受信して、チャンネルチェックを行う機能以外の機能を備えることもあるが、他の機能に関する構成については、本発明とは直接関係しないため、説明を省略する。
【００７５】
受信装置２０の構成としては、アナログ信号処理を主に用いる構成と、デジタル信号処理を主に用いる構成とが考えられる。まず、アナログ信号処理を主に用いる受信装置２０の要部構成について、図６を参照して説明する。
【００７６】
図６に示す受信装置２０は、受信器２０１と、ユーザーＩ／Ｆ２０３と、帯域通過フィルタ２０４と、ハイパスフィルタ２０５と、位相検出器２０６と、制御部２０７とを備える。帯域通過フィルタ２０４、ハイパスフィルタ２０５、位相検出器２０６および制御部２０７は、チャンネルチェックを行う判定部２０８を構成する。
【００７７】
受信器２０１は、アナログ回線およびデジタル回線を介して送信装置１０から送信されてきたチェック信号を受信して各部に出力する。
【００７８】
具体的には、受信器２０１は、アナログ回線を介して送信されてきたチェック信号を、帯域通過フィルタ２０４、ハイパスフィルタ２０５、位相検出器２０６および制御部２０７に出力する。また、受信器２０１は、デジタル回線を介して送信装置１０から送信されてきた信号を受信するデジタル入力部２０２を備える。
【００７９】
デジタル入力部２０２は、デジタル回線を介して送信されてきたデジタルオーディオＩ／Ｆ（例えば、ＡＥＳ３やＭＡＤＩなど）に適合するデジタル信号（チェック信号）をアナログ信号に変換（ＤＡ変換）して、帯域通過フィルタ２０４および位相検出器２０６に出力する。
【００８０】
ユーザーＩ／Ｆ２０３は、チャンネルチェック開始／停止の指示を受け付け、入力された指示に応じた信号を制御部２０７に出力する。
【００８１】
帯域通過フィルタ２０４は、ＳＥＱ  Ｎｏ．１〜ＳＥＱ  Ｎｏ．２６において送信される正弦波の各周波数を通過中心周波数ｆ0とする複数の帯域通過フィルタから構成される。すなわち、帯域通過フィルタ２０４は、ＳＥＱ  Ｎｏ．１で送信される正弦波の周波数２２０Ｈｚを通過中心周波数ｆ0とする１ｃｈ用帯域通過フィルタ、ＳＥＱ  Ｎｏ．２で送信される正弦波の周波数２３３Ｈｚを通過中心周波数ｆ0とする２ｃｈ用帯域通過フィルタ、・・・ＳＥＱ  Ｎｏ．２６で送信される正弦波の周波数９３Ｈｚを通過中心周波数ｆ0とする２６ｃｈ用帯域通過フィルタから構成される。帯域通過フィルタ２０４を構成する各フィルタの出力は、制御部２０７に入力される。
【００８２】
ハイパスフィルタ２０５は、各チャンネルの信号のうち、カットオフ周波数ｆc以上の信号を通過させる。カットオフ周波数ｆcは、ｃｈチェックおよびレベルチェックのために送信されるどの正弦波の周波数よりも高いものとする。図６においては、カットオフ周波数ｆcが２ｋＨｚであるとする。
【００８３】
位相検出器２０６は、１ｃｈを基準とし、１ｃｈと他のチャンネルとの位相差を検出する複数の位相検出器から構成される。すなわち、位相検出器２０６は、１ｃｈと２ｃｈとの位相差を検出する１ｃｈ／２ｃｈ位相検出器、１ｃｈと３ｃｈとの位相差を検出する１ｃｈ／３ｃｈ位相検出器、・・・１ｃｈと２６ｃｈとの位相差を検出する１ｃｈ／２６ｃｈ位相検出器から構成される。位相検出器２０６を構成する各位相検出器の検出結果は、制御部２０７に入力される。
【００８４】
制御部２０７は、チャンネルチェック開始の指示がユーザーＩ／Ｆ２０３に入力されると、受信器２０１、帯域通過フィルタ２０４、ハイパスフィルタ２０５および位相検出器２０６の出力に基づいて、チャンネルチェックを行う。
【００８５】
以下では、制御部２０７によるチャンネルチェックの方法について、図２に示すチェック信号が用いられた場合を例として説明する。
【００８６】
ＳＥＱ  Ｎｏ．１では、周波数２２０Ｈｚの正弦波が１ｃｈで送信される。この信号が受信装置２０において正常に１ｃｈで受信された場合には、１ｃｈ用帯域通過フィルタを通過して、制御部２０７に入力される。制御部２０７は、チェック信号の仕様を予め記憶している。制御部２０７は、チェック信号の仕様通りに、周波数２２０Ｈｚの正弦波を１ｃｈで受信したことから、１ｃｈのｃｈチェックの結果はＯＫであると判定する。一方、制御部２０７は、例えば、２４ｃｈ用帯域通過フィルタから信号が出力された場合には、受信側の１ｃｈに送信側の２４ｃｈが誤接続されており、１ｃｈのｃｈチェックの結果はＮＧであると判定する。
【００８７】
また、制御部２０７は、受信器２０１から入力された信号に基づき、１ｃｈの信号のレベルを計測し、チェック信号の仕様に対して所定の範囲内であるか否か（例えば、−１８ｄＢＦＳ±０．５ｄｂ）を判定する。そして、制御部２０７は、１ｃｈの信号のレベルが所定の範囲内であると判定した場合には、１ｃｈのレベルチェックの結果はＯＫであると判定する。一方、制御部２０７は、１ｃｈの信号のレベルが所定の範囲内でないと判定した場合には、１ｃｈのレベルチェックの結果はＮＧであると判定する。
【００８８】
制御部２０７は、上述したｃｈチェックおよびレベルチェックをＳＥＱ  Ｎｏ．２６まで繰り返す。
【００８９】
このように、制御部２０７は、第１の期間（ＳＥＱ  Ｎｏ．１〜ＳＥＱ  Ｎｏ．２６）においては、チャンネルごとに、そのチャンネルに固有の周波数の信号が受信されたか否かによりｃｈチェックを行い、チャンネルの信号のレベルが所定の範囲内であるか否かによりレベルチェックを行う。
【００９０】
ＳＥＱ  Ｎｏ．２７では、ピンクノイズが全チャンネルで送信される。各チャンネルの受信信号は位相検出器２０６に入力される。位相検出器２０６では、基準とした１ｃｈに対する２ｃｈ〜２６ｃｈそれぞれの位相差が検出され、検出結果が制御部２０７に入力される。なお、チャンネル間の位相差は、一般的な位相計の原理を用いれば、直流電圧として検出することができる。
【００９１】
制御部２０７は、１ｃｈに対するチェック対象のチャンネルの位相差が、所定の範囲内（例えば、０°±５°）であれば、チェック対象のチャンネルの位相チェックの結果はＯＫであると判定する。一方、制御部２０７は、１ｃｈに対するチェック対象のチャンネルの位相差が、所定の範囲内でなければ、チェック対象のチャンネルの位相チェックの結果はＮＧであると判定する。
【００９２】
このように、制御部２０７は、第２の期間（ＳＥＱ  Ｎｏ．２７）においては、基準としたチャンネルと他のチャンネルそれぞれとの位相差が所定の範囲内であるか否かにより位相チェックを行う。
【００９３】
上述したように、ハイパスフィルタ２０５のカットオフ周波数ｆcは、ＳＥＱ  Ｎｏ．１〜ＳＥＱ  Ｎｏ．２６で送信される正弦波の周波数よりも高い。そのため、ハイパスフィルタ２０５から信号が入力されることで、制御部２０７は、送信装置１０からピンクノイズが送信されていることを判別することができる。
【００９４】
ＳＥＱ  Ｎｏ．２８では、無信号となる（信号送信は停止される）。制御部２０７は、各チャンネルの雑音レベルが、所定の時間（例えば、３秒間）、所定の閾値以下（例えば、−８０ｄＢＦＳ以下）であるか否かを判定する。制御部２０７は、チェック対象チャンネルの雑音レベルが、所定の時間、所定の閾値以下であれば、チェック対象チャンネルのＳ／Ｎチェックの結果はＯＫであると判定する。一方、制御部２０７は、チェック対象チャンネルの雑音レベルが、所定の時間、所定の閾値以下でなければ、チェック対象のチャンネルのＳ／Ｎチェックの結果はＮＧであると判定する。
【００９５】
このように、制御部２０７は、第３の期間（ＳＥＱ  Ｎｏ．２８）においては、各チャンネルにおける雑音レベルが所定の閾値以下であるか否かによりＳ／Ｎチェックを行う。
【００９６】
次に、デジタル信号処理を主に用いる受信装置２０の要部構成について、図７を参照して説明する。
【００９７】
図７に示す受信装置２０は、受信器２１１と、ユーザーＩ／Ｆ２１４と、チェック信号仕様記憶部２１５と、分析部２１６と、制御部２１７とを備える。チェック信号仕様記憶部２１５、分析部２１６および制御部２１７は、チャンネルチェックを行う判定部２１８を構成する。
【００９８】
受信器２１１は、アナログ回線およびデジタル回線を介して送信装置１０から送信されてきたチェック信号を受信し、分析部２１６に出力する。受信器２１１は、アナログ回線を介して送信装置１０から送信されてきた信号を受信するアナログ入力部２１２と、デジタル回線を介して送信装置１０から送信されてきた信号を受信するデジタル入力部２１３とを備える。
【００９９】
アナログ入力部２１２は、アナログ回線を介して送信されてきたチェック信号をデジタル信号に変換（ＡＤ変換）して、分析部２１６に出力する。
【０１００】
デジタル入力部２１３は、デジタル回線を介して送信されてきた、デジタルオーディオＩ／Ｆ（例えば、ＡＥＳ３やＭＡＤＩなど）に適合するデジタル信号を、デジタル音声データに復調して分析部２１６に出力する。
【０１０１】
ユーザーＩ／Ｆ２１４は、チャンネルチェック開始／停止の指示を受け付け、入力された指示に応じた信号を制御部２１７に出力する。
【０１０２】
チェック信号仕様記憶部２１５は、チェック信号の仕様を記憶する。チェック信号仕様記憶部２１５は、ＨＤＤ、フラッシュメモリなどで構成される。
【０１０３】
分析部２１６は、ｃｈチェック、レベルチェックおよびＳ／Ｎチェックのために、アナログ入力部２１２およびデジタル入力部２１３から出力された信号に対して、チャンネルごとにＦＦＴ（Ｆａｓｔ  Ｆｏｕｒｉｅｒ  Ｔｒａｎｓｆｏｒｍ）などの周波数分析処理を行い、分析結果を制御部２１７に出力する。また、分析部２１６は、位相チェックを行うために、ピンクノイズに関して、１ｃｈと他のチャンネルとの相互相関関数を演算して、１ｃｈと他のチャンネルとの位相差を検出し、検出結果を制御部２１７に出力する。
【０１０４】
制御部２１７は、チャンネルチェック開始の指示がユーザーＩ／Ｆ２１４に入力されると、チェック信号仕様記憶部２１５が記憶するチェック信号の仕様を参照し、分析部２１６の出力に基づき、チャンネルチェックを行う。
【０１０５】
以下では、制御部２１７によるチャンネルチェックの方法について、図２に示すチェック信号が用いられた場合を例として説明する。
【０１０６】
ＳＥＱ  Ｎｏ．１では、周波数２２０Ｈｚ、−１８ｄＢＦSの正弦波が１ｃｈで送信される。この信号が受信装置２０において正常に１ｃｈで受信された場合には、分析部２１６による周波数分析処理により、２２０Ｈｚに−１８ｄＢＦＳのスペクトルが検出される。制御部２１７は、チェック信号仕様記憶部２１５が記憶するチェック信号の仕様を読み出し、１ｃｈに関する分析結果と照合する。
【０１０７】
具体的には、制御部２１７は、１ｃｈで受信した正弦波の周波数が所定の範囲内（例えば、２２０Ｈｚ±５％）であるか否かを判定する。制御部２１７は、１ｃｈで受信した正弦波の周波数が所定の範囲内であれば、周波数２２０Ｈｚの正弦波が１ｃｈで受信されたと判定し、１ｃｈのｃｈチェックの結果はＯＫであると判定する。一方、制御部２１７は、１ｃｈで受信した正弦波の周波数が所定の範囲内でなければ、１ｃｈのｃｈチェックの結果はＮＧであると判定する。
【０１０８】
また、制御部２１７は、１ｃｈで受信した正弦波のレベルが所定の範囲内（例えば、−１８ｄＢＦＳ±０．５ｄＢ）であるか否かを判定する。制御部２１７は、１ｃｈで受信した正弦波のレベルが所定の範囲内であれば、１ｃｈのレベルチェックの結果はＯＫであると判定する。一方、制御部２１７は、１ｃｈで受信した正弦波のレベルが所定の範囲内でなければ、１ｃｈのレベルチェックの結果はＮＧであると判定する。
【０１０９】
制御部２１７は、上述したｃｈチェックおよびレベルチェックをＳＥＱ  Ｎｏ．２６まで繰り返す。
【０１１０】
このように、制御部２１７は、第１の期間（ＳＥＱ  Ｎｏ．１〜ＳＥＱ  Ｎｏ．２６）においては、チャンネルごとに、チャンネルに固有の周波数の信号が受信されたか否かによりｃｈチェックを行い、チャンネルの信号のレベルが所定の範囲内であるか否かによりレベルチェックを行う。
【０１１１】
ＳＥＱ  Ｎｏ．２７では、ピンクノイズが全チャンネルで送信される。分析部２１６ではピンクノイズに基づき、１ｃｈと各チャンネルとの位相差が検出される。制御部２１７は、分析部２１６により検出された１ｃｈとチェック対象のチャンネルとの時間差（位相差）が所定の範囲内（例えば、±１００マイクロ秒以内）であるか否かを判定する。制御部２１７は、１ｃｈとチェック対象のチャンネルとの時間差（位相差）が所定の範囲内であれば、チェック対象のチャンネルの位相チェックの結果はＯＫであると判定する。一方、制御部２１７は、１ｃｈとチェック対象のチャンネルとの時間差（位相差）が所定の範囲内でなければ、チェック対象のチャンネルの位相チェックの結果はＮＧであると判定する。
【０１１２】
このように、制御部２１７は、第２の期間（ＳＥＱ  Ｎｏ．２７）においては、複数のチャンネルの中から基準としたチャンネルと他のチャンネルそれぞれとの位相差が所定の範囲内であるか否かにより位相チェックを行う。
【０１１３】
ＳＥＱ  Ｎｏ．２８では、無信号となる（信号送信は停止される）。制御部２１７は、分析部２１６による周波数分析処理で得られるチャンネルの雑音レベルが、所定の時間（例えば、３秒間）、所定の閾値以下（例えば、−８０ｄＢＦＳ以下）であるか否かを判定する。制御部２１７は、チェック対象のチャンネルの雑音レベルが、所定の時間、所定の閾値以下であれば、チェック対象のチャンネルのＳ／Ｎチェックの結果はＯＫであると判定する。一方、制御部２０７は、チェック対象のチャンネルの雑音レベルが、所定の時間、所定の閾値以下でなければ、チェック対象のチャンネルのＳ／Ｎチェックの結果はＮＧであると判定する。
【０１１４】
このように、制御部２１７は、第３の期間（ＳＥＱ  Ｎｏ．２８）においては、各チャンネルにおける雑音レベルが所定の閾値以下であるか否かによりＳ／Ｎチェックを行う。
【０１１５】
なお、受信装置２０は、アナログ回線を介してチェック信号を受信するための構成（アナログ入力）、および、デジタル回線を介してチェック信号を受信するための構成（デジタル入力）の両方を備える必要はない。受信装置２０は、チェックしたい回線の種別に応じて、アナログ出力およびデジタル出力のいずれか一方だけを備えていてもよい。
【０１１６】
ユーザーＩ／Ｆ２０３，２１４は、各チェック項目においてＯＫ／ＮＧを判定するための閾値の設定を受け付ける機能、種々の情報を表示する機能などを備えていてもよい。
【０１１７】
ユーザーＩ／Ｆ２０３，２１４が種々の情報を表示する機能を備える場合、制御部２０７，２１７は、各チェック項目の判定結果をユーザーＩ／Ｆ２０３，２１４に表示させてもよい。図８は、各チェック項目の判定結果の表示例を示す図である。
【０１１８】
図８においては、７ｃｈおよび８ｃｈのｃｈチェックの結果がＮＧであり、９ｃｈのレベルチェックの結果がＮＧであり、１８ｃｈの位相チェックの結果がＮＧであり、２０ｃｈのＳ／Ｎチェックの結果がＮＧであったとする。
【０１１９】
制御部２０７，２１７は、各チャンネルについて、各チェック項目について検出された値を表示させるとともに、判定結果がＮＧであった項目については、判定結果がＯＫであった項目とは異なる形態（例えば、異なる色）で表示させる。
【０１２０】
次に、受信装置２０の動作について、図９に示すフローチャートを参照して説明する。なお、図９においては、図６に示す受信装置２０を例として説明する。
【０１２１】
制御部２０７は、チャンネルチェック開始の指示がユーザーＩ／Ｆ２０３に入力されると、帯域通過フィルタ２０４およびハイパスフィルタ２０５の出力に基づき、受信器２０１からの入力信号を分析し（ステップＳ１０１）、入力信号が、正弦波であるか、ピンクノイズであるか、無信号であるかを判定する。なお、上述したように、制御部２０７は、ハイパスフィルタ２０５の出力に基づき、入力信号がピンクノイズであるか否かを判定することができる。制御部２０７は、入力信号が正弦波であると判定した場合には、帯域通過フィルタ２０４の出力に基づき、ＳＥＱ  Ｎｏ．を判別する（ステップＳ１０２）。
【０１２２】
ステップＳ１０２において、入力信号が正弦波であると判定した場合には、制御部２０７は、入力信号が、ステップＳ１０２で判別したＳＥＱ  Ｎｏ.で規定された周波数の正弦波であり、所定のレベルであるか否かを判定する（ステップＳ１０３）。すなわち、制御部２０７は、ｃｈチェックおよびレベルチェックを行う。
【０１２３】
入力信号が判別したＳＥＱ  Ｎｏ.で規定された周波数の正弦波であり、所定のレベルであると判定した場合には（ステップＳ１０３：Ｙｅｓ）、制御部２０７は、ユーザーＩ／Ｆ２０３に、チェック対象のチャンネルについて、該当チェック項目（ｃｈチェックおよびレベルチェック）の判定結果としてＯＫを表示させる（ステップＳ１０４）。
【０１２４】
入力信号が判別したＳＥＱ  Ｎｏ.で規定された周波数の正弦波でない、あるいは、所定のレベルでないと判定した場合には（ステップＳ１０３：Ｎｏ）、制御部２０７は、ユーザーＩ／Ｆ２０３に、チェック対象のチャンネルについて、該当チェック項目（ｃｈチェックあるいはレベルチェック）の判定結果としてＮＧを表示させる（ステップＳ１０５）。
【０１２５】
ステップＳ１０２において、入力信号がピンクノイズであると判定した場合には、制御部２０７は、基準とした１ｃｈに対する各チャンネルの位相差が所定の範囲内であるか否かを判定する（ステップＳ１０６）。
【０１２６】
１ｃｈに対するチェック対象のチャンネルの位相差が所定の範囲内であると判定した場合には（ステップＳ１０６：Ｙｅｓ）、制御部２０７は、ステップＳ１０４の処理に進み、ユーザーＩ／Ｆ２０３に、チェック対象のチャンネルの位相チェックの判定結果としてＯＫを表示させる。
【０１２７】
１ｃｈに対するチェック対象のチャンネルの位相差が所定の範囲内でないと判定した場合には（ステップＳ１０６：Ｎｏ）、制御部２０７は、ステップＳ１０５の処理に進み、ユーザーＩ／Ｆ２０３に、チェック対象のチャンネルの位相チェックの判定結果としてＮＧを表示させる。
【０１２８】
ステップＳ１０２において、無信号であると判定した場合には、制御部２０７は、各チャンネルの雑音レベルが、所定の時間、所定の閾値以下であるか否かを判定する（ステップＳ１０７）。
【０１２９】
チェック対象チャンネルの雑音レベルが、所定の時間、所定の閾値以下であると判定した場合には（ステップＳ１０７：Ｙｅｓ）、制御部２０７は、ステップＳ１０４の処理に進み、ユーザーＩ／Ｆ２０３に、チェック対象のチャンネルのＳ／Ｎチェックの判定結果としてＯＫを表示させる。
【０１３０】
チェック対象チャンネルの雑音レベルが、所定の時間、所定の閾値以下でないと判定した場合には（ステップＳ１０７：Ｎｏ）、制御部２０７は、ステップＳ１０５の処理に進み、ユーザーＩ／Ｆ２０３に、チェック対象のチャンネルのＳ／Ｎチェックの判定結果としてＮＧを表示させる。
【０１３１】
ステップＳ１０４あるいはステップＳ１０５の処理の後、制御部２０７は、チャンネルチェック終了の指示がユーザーＩ／Ｆ２０３に入力されたか否かを判定する（ステップＳ１０８）。
【０１３２】
チェック終了の指示が入力されたと判定した場合には（ステップＳ１０８：Ｙｅｓ）、制御部２０７は、チャンネルチェックを終了する。
【０１３３】
チェック終了の指示が入力されていないと判定した場合には（ステップＳ１０８：Ｎｏ）、制御部２０７は、ステップＳ１０１の処理に戻る。
【０１３４】
なお、図７に示す受信装置２０の制御部２１７の動作も、制御部２０７の動作を略同じである。ただし、制御部２１７は、ステップＳ１０１において、分析部２１６の出力に基づき、入力信号が、正弦波であるか、ピンクノイズであるか、無信号であるかを判定する点、および、分析部２１６の出力に基づきチャンネルチェックを行う点が、制御部２０７と異なる。
【０１３５】
このように本実施形態によれば、伝送システム１は、複数のチャンネルによって構成される信号を送信する送信装置１０と、送信装置１０により送信された信号を受信する受信装置２０とを備える。送信装置１０は、受信装置２０との間の信号伝送の試験を行うためのチェック信号として、第１の期間では、予め定められた各チャンネルに固有の周波数の信号をチャンネルごとに送信し、第２の期間では、複数のチャンネルに共通の信号を送信し、第３の期間では、無信号とする。受信装置２０は、チェック信号を受信し、受信したチェック信号に基づき、第１の期間においては、チャンネルごとに、該チャンネルに固有の周波数の信号が受信されたか否か、および、該チャンネルの信号のレベルが所定の範囲内であるか否かを判定し、第２の期間においては、複数のチャンネルの中から基準としたチャンネルと他のチャンネルそれぞれとの位相差が所定の範囲内であるか否かを判定し、第３の期間においては、複数のチャンネルそれぞれの雑音レベルが所定の閾値以下であるか否かを判定する。
【０１３６】
そのため、チャンネルチェックの各項目を自動的に受信装置２０においてチェックすることができるので、信号伝送の試験に関する作業負担の増大の抑制を図ることができる。
【０１３７】
また、本実施形態によれば、第１の期間においては、チャンネルごとに異なるタイミングで順次、各チャンネルに固有の周波数の正弦波が送信される。そのため、聴感によるｃｈチェックも可能となる。
【０１３８】
また、本実施形態によれば、異なるタイミングで順次送信される正弦波の周波数は、送信される順に増加または減少する。そのため、各タイミングで送信される信号の音階が順に上がるまたは下がるようになるので、聴感によるｃｈチェックが容易になる。
【０１３９】
また、本実施形態によれば、第１の期間においては、複数のチャンネルそれぞれに、各チャンネルに固有の周波数の信号が同時に送信される。そのため、ｃｈチェックとレベルチェックとを同時に行うことができ、チェックに要する時間を短縮することができる。
【０１４０】
また、本実施形態によれば、第２の期間においては、複数の周波数成分から構成され、各々の周波数は整数比とならない信号が送信される。そのため、位相のずれが３６０°の倍数となった場合にも、誤判定となることを防ぎ、判定精度の向上を図ることができる。
【０１４１】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。例えば、各ブロックあるいは各ステップなどに含まれる機能などは論理的に矛盾しないように再配置可能であり、複数のブロックあるいはステップを１つに組み合わせたり、或いは分割したりすることが可能である。
【符号の説明】
【０１４２】
１    伝送システム
１０    送信装置
２０    受信装置
１０１    外部制御正弦波発振器
１０２    ピンクノイズ発生器
１０３    切替器
１０４，１１４    送信器
１０５，１１６    デジタル出力部
１０６，１１１，２０３，２１４    ユーザーＩ／Ｆ
１０７，１１３    制御部
１０８，１１７    信号生成部
１１２，２１５    チェック信号仕様記憶部
１１５    アナログ出力部
２０１，２１１    受信器
２０２，２１３    デジタル入力部
２０４    帯域通過フィルタ
２０５    ハイパスフィルタ
２０６    位相検出器
２０７，２１７    制御部
２０８，２１８    判定部
２１２    アナログ入力部
２１６    分析部
【図１】
0006480779.tif 000002
【図２】
0006480779.tif 000003
【図３】
0006480779.tif 000004
【図４】
0006480779.tif 000005
【図５】
0006480779.tif 000006
【図６】
0006480779.tif 000007
【図７】
0006480779.tif 000008
【図８】
0006480779.tif 000009
【図９】
0006480779.tif 000010